(57)【要約】【課題】  配置換えや収納部の増減が容易で、園児の遊具や遊び場とすることも可能な壁面収納ユニットを提供する。【解決手段】  階段２Ａと引出し２Ｃからなる収納部を有する階段ユニット２、階段３Ａとくぐり穴３Ｃを有する階段ユニット３、布団収納部４Ａを有する布団収納ユニット４、収納部５Ａを有するロッカーユニット５、収納部６Ａ、くぐり穴６Ｂ、丸窓６Ｃを有する遊具収納ユニット６などからなるロフト型壁面収納ユニットであり、布団収納ユニット４、ロッカーユニット５、遊具収納ユニット６の天板は階段ユニット２、３の最上階と同一の高さに作製されて通路７を形成し、その両側には手摺を兼ねた柵８を配置した。なお、通路７は、布団収納ユニット４、ロッカーユニット５、遊具収納ユニット６の天板ではなく、通し柱９に支持される踏み板１０により構成されても良い。【選択図】  図１
0003103434.tif 000002
【実用新案登録請求の範囲】
【請求項１】
階段を有する階段ユニットと、階段ユニットの階段最上階と略同じ高さに踏み板を備えたロフトユニットとを備え、少なく共何れかのユニットに収納部が設けられたことを特徴とする組み合わせ自在なロフト型壁面収納ユニット。
【請求項２】
踏み板の縁に沿って設置可能な柵を備えたことを特徴とする請求項１記載の組み合わせ自在なロフト型壁面収納ユニット。
【請求項３】
階段ユニットの階段最上階と略同じ高さに設けられる踏み板が、ロフトユニットにではなくユニット同士の間に設置される支柱に支持可能に設けられたことを特徴とする請求項１または２記載の組み合わせ自在なロフト型壁面収納ユニット。
【考案の詳細な説明】
【技術分野】
【０００１】
本考案は、幼稚園・保育園などの保育室の壁面に沿って設置する壁面収納ユニットに関するものである。
【背景技術】
【０００２】
幼稚園や保育園などでは、適宜の大きさの収納棚が保育室の後壁部分や横壁部分に設置され、その収納棚に小さく区画して設けられた多数の収納部に児童が持参した道具などを置くようになっている。そのような収納棚は、現地での作り付けで作製されることが多い。また、多数の収納部を備えた大きな収納棚を工場などで作製し、それを保育室に搬入して固定し、壁面収納棚とすることもある。
【０００３】
しかし、従来の作り付けの収納棚においては置き換えが全くできないし、大きな収納棚においては配置換えが困難であると云う欠点がある。また、何れの収納棚においても、収納部の個数は決まっているので、園児数が増減したときには対応し難い。さらに、単に収納部を備えた棚でしかなかったので、園児が遊ぶ際の道具として用いることも、遊び場とすることもできないと云う欠点もあった。
【考案の開示】
【考案が解決しようとする課題】
【０００４】
したがって、配置換えが容易にできる壁面収納ユニットとする。また、園児数が増減したときには、収納部を容易に増減することができ、さらには園児が遊ぶ際の道具として用いることができ、また、遊び場とすることも可能な壁面収納ユニットを提供する。
【課題を解決するための手段】
【０００５】
本考案は、階段を有する階段ユニットと、階段ユニットの階段最上階と略同じ高さに踏み板を備えたロフトユニットとを備え、少なく共何れかのユニットに収納部が設けられたことを主要な特徴とする組み合わせ自在なロフト型壁面収納ユニットである。
【考案の効果】
【０００６】
本考案のロフト型壁面収納ユニットは、組み合わせ自在な複数のユニットからなるので、配置換えが自在である。また、ユニット数の増減により、収納部の個数を増減することが可能であるので、園児数が増減しても簡単に必要な数の収納部を設けることができる。また、階段ユニットの階段を経由してロフトユニットの踏み板に至ることができるので、一部若しくは全体を遊具として用いたり、遊び場として利用することも可能である。
【考案を実施するための最良の形態】
【０００７】
階段を有する階段ユニットと、階段ユニットの階段最上階と略同じ高さに踏み板を備えたロフトユニットとを備え、少なく共何れかのユニットに収納部が設けられたことを特徴とする組み合わせ自在なロフト型壁面収納ユニット。
【実施例１】
【０００８】
本考案の一実施例を図１〜図６に基づいて説明する。図１に示したように、本考案のロフト型壁面収納ユニット１は、階段ユニット２、３を備えており、同図において階段ユニット２は左端、階段ユニット３は右端に配置されている。
【０００９】
階段ユニット２は正面に階段２Ａを備え、その階段２Ａの左右両側には手摺２Ｂが設けられている。また、階段ユニット２の右側面には多数の引出し２Ｃからなる収納部が設けられている。
【００１０】
階段ユニット３も正面に階段３Ａを備え、その階段３Ａの左右両側には手摺３Ｂが設けられている。そして、階段ユニット３の左側面にはくぐり穴３Ｃが開口し、園児がそのくぐり穴３Ｃを通って階段３Ａの下に出入りし、遊ぶことができるようになっている。
【００１１】
階段ユニット２、３の間には、ロフトユニットである一つの布団収納ユニット４と、二つのロッカーユニット５と、一つの遊具収納ユニット６とが配置されている。
【００１２】
布団収納ユニット４には布団収納部４Ａが４段に形成され、各段の布団収納部４Ａはそれぞれ左右二つの折戸４Ｂにより開閉自在に構成されている。各折戸４Ｂは、隣接する側が図示しないヒンジにより連結された左右２枚の戸板を備え、ヒンジから離れた側の上下に突設した図示しないボスが、上下に対向して配設された図示しないレールに遊嵌されて、ヒンジの近くに設けられた図示しない操作摘みを摘んで手前に引くと、レールに遊嵌されている図示しないボス同士が接近しながらヒンジの部分が手前に突出して左右２枚の戸板が折れ曲がり、且つ、レールに沿って左右方向に移動自在に構成されている。
【００１３】
ロッカーユニット５は、前面が開口した収納部５Ａを複数列、複数段に備えている。遊具収納ユニット６にはアーチ型のくぐり穴６Ｂが前面下部に開口しており、このくぐり穴６Ｂを介して遊具収納ユニット６内部の空洞からなる収納部６Ａに遊具などを出し入れしたり、園児が出入りすることが可能に設けられている。また、遊具収納ユニット６の前面上部側には透明樹脂が嵌め込まれた丸窓６Ｃが設けられている。
【００１４】
布団収納ユニット４の天板と、ロッカーユニット５の天板と、遊具収納ユニット６の天板とは、階段ユニット２、３の最上階と同一の高さに構成されて通路７を構成している。すなわち、布団収納ユニット４の天板と、ロッカーユニット５の天板と、遊具収納ユニット６の天板は、解決手段で云う踏み板として機能している。
【００１５】
そして、通路７の両側には手摺を兼ねた柵８が配置されている。通路７の手前側に配置される柵８には、所望の形状に開設された開口部に透明樹脂が嵌め込まれた覗き窓８Ａが設けられ、通路７から園児が下を見たり、通路７にいる園児と下にいる園児とが話すことなどができるようになっている。なお、柵８はユニット同士の間に立設された通し柱９に図示しないビスにより固定されている。
【００１６】
上記構成の本考案のロフト型壁面収納ユニット１は、ユニット部材の組み合わせによる構成となっているので、ユニット数を増減するだけで保育室の広さに合った最適の大きさの壁面収納ユニットとすることができるし、階段ユニット２、３、ロッカーユニット５などを配置する位置も自由に選択することができる。
【００１７】
また、狭い保育室に大勢の園児を入れる必要があるときには、布団収納ユニット４、遊具収納ユニット６に代えてロッカーユニット５を備えるようにしても良いし、階段ユニットとしては階段ユニット２または階段ユニット３の一つだけを備え、装備するロッカーユニット５の数を増やすことなども可能である。
【００１８】
なお、ロッカーユニット５は、布団収納ユニット４、遊具収納ユニット６と同じ奥行き寸法で作製しても良いが、奥行き寸法が大き過ぎても使い難いと云う幼稚園などには、例えば図５に示したように布団収納ユニット４、遊具収納ユニット６より小さい奥行き寸法で作製したロッカーユニット５を備えたロフト形壁面収納ユニット１を納品する。
【００１９】
そして、奥行き寸法の小さいロッカーユニット５の天板で通路７を構成すると、ロッカーユニット５の部分だけ通路７の幅が狭くなるので、そのようなときには図６に示したようにロッカーユニット５の天板とは別部材で四隅に凹み部１０Ａを備え、且つ、奥行き寸法が布団収納ユニット４、遊具収納ユニット６と同じである踏み板１０を作製し、その凹み部１０Ａに通し柱９の狭窄部９Ａを嵌め込んで踏み板１０を４本の通し柱９で支持し、踏み板１０の上面を通路７とすることも可能である。
【００２０】
また、前記のような構成の踏み板１０を、ロッカーユニット５の上方だけでなく、布団収納ユニット４と遊具収納ユニット６の上方にも設けると、通路７の下方に所望のタイプのユニットが極めて容易に配置できるようになると云うメリットがある。
【００２１】
また、ロッカーユニット５としては、縦型に形成し、その内側上部にハンガーパイプとフックとを設け、ロッカーユニット５内に園児の服をハンガーで吊るしたり、かばんを掛けることができる構成に変更することも可能である。
【００２２】
また、各ユニットにおいて収納部を形成するための棚は、固定棚であっても良いし、ボスの取り付け位置の変更などにより高さが変更し得る可動棚であっても良い。
【図面の簡単な説明】
【００２３】
【図１】本考案のロフト型壁面収納ユニットの説明図である。
【図２】本考案のロフト型壁面収納ユニットの平面説明図である。
【図３】本考案のロフト型壁面収納ユニットの正面説明図である。
【図４】本考案のロフト型壁面収納ユニットの断面説明図である。
【図５】本考案のロフト型壁面収納ユニットの他の断面説明図である。
【図６】本考案のロフト型壁面収納ユニットの踏み板部分の説明図である。
【符号の説明】
【００２４】
１  ロフト型壁面収納ユニット
２  階段ユニット
２Ａ  階段
２Ｂ  手摺
２Ｃ  引出し
３  階段ユニット
３Ａ  階段
３Ｂ  手摺
３Ｃ  くぐり穴
４  布団収納ユニット
４Ａ  布団収納部
４Ｂ  折戸
５  ロッカーユニット
５Ａ  収納部
６  遊具収納ユニット
６Ａ  収納部
６Ｂ  くぐり穴
６Ｃ  丸窓
７  通路
８  柵
８Ａ  覗き窓
９  通し柱
９Ａ  狭窄部
１０  踏み板
１０Ａ  凹み部
【図１】
0003103434.tif 000003
【図２】
0003103434.tif 000004
【図３】
0003103434.tif 000005
【図４】
0003103434.tif 000006
【図５】
0003103434.tif 000007
【図６】
0003103434.tif 000008